(57)【要約】【課題】  充電端子の取付構造において、製造コストを低減させ、長期間の使用によっても変形せずに接触不良が発生しないように耐久性を向上させる。【解決手段】  充電端子２０は、互いに対向する第１、第２の支持片２１，２２とこれらを連結する接触片２３とによって断面略コ字状に形成されている。ロアーケース２の長穴１３から挿通される第１の支持片２１には、スタッド１７に取り付けるための挿通孔２１ａと係合突起１６ａに係合する係合溝凹部が設けられている。ロアーケース２の長穴１４から挿通される第２の支持片２２には、ロアーケース２内の底部５に設けた係合突起１９に係合する係合孔２２ａが設けられている。第２の支持片２２の接触片２３側の一部２２ｂが、ロアーケース２の底部５から露呈している。【選択図】  図８
2007096877.tif 000002
【特許請求の範囲】
【請求項１】
互いに対向する第１、第２の支持片およびこれら両支持片を連結する接触片によって断面略コ字状に形成した充電端子と、底部と囲い壁とによって一方が開口した筐体とを備え、前記筐体の囲い壁に前記充電端子の各支持片が挿通される２つの長穴を設け、前記筐体内の底部に前記第１の支持片を取り付けるスタッドを立設し、前記第２の支持片に係合孔を設け、この係合孔に係合する係合凸部を前記筐体内の底部に設けたことを特徴とする充電端子の取付構造。
【請求項２】
互いに対向する第１、第２の支持片およびこれら両支持片を連結する接触片によって断面略コ字状に形成した充電端子と、底部と囲い壁とによって一方が開口した筐体とを備え、前記筐体の囲い壁に前記充電端子の各支持片が挿通される２つの長穴を設け、前記筐体内の底部に前記第１の支持片を取り付けるスタッドを立設し、前記第１の支持片の両側端に一対の係合溝を設け、この係合溝が係合する係合突起を前記筺体内に設けたことを特徴とする充電端子の取付構造。
【請求項３】
請求項１または２記載の充電端子の取付構造において、
前記筐体の開口側から取り付けるプリント基板と前記第１の支持片とを前記スタッドに共締めすることにより、前記充電端子と前記プリント基板とを電気的に接続したことを特徴とする充電端子の取付構造。
【請求項４】
請求項１または２記載の充電端子の取付構造において、
前記第２の支持片の前記接触片側の一部を前記筐体から露呈させたことを特徴とする充電端子の取付構造。
【発明の詳細な説明】
【技術分野】
【０００１】
本発明は、蓄電池を内蔵したコードレス電話機等の電子機器に備えられる充電端子の取付構造に関するものである。
【背景技術】
【０００２】
従来の充電端子の取付構造としては、一端部側を断面コ字状に折り曲げ形成した充電端子と、底部と囲い壁とからなり一方が開口した電話機筐体とを備え、充電端子の挟持部を電話機筐体の囲い壁に開口端側から挟み、電話機筐体の底部に立設したスタッドに充電端子を取り付けることにより、電話機筺体から露呈した挟持部を充電器の充電用端子に電気的に接触させるものがある（例えば、特許文献１参照）。
【特許文献１】特開２０００−３３２８６９号公報（段落「０００３」、図６）
【発明の開示】
【発明が解決しようとする課題】
【０００３】
上述した従来の充電端子は、充電端子が延在する方向と直交する方向に断面コ字状の挟持部を設けているため、この充電端子を形成するのに折り曲げ工程が２回必要になり製造コストが嵩むという問題があった。また、充電端子の挟持部は囲い壁に挟み込まれているだけの構造であり、充電器の充電用端子に電気的に接触する表面側は、単に電話機筺体の表面に添接されているだけであるから、この表面側が長期間の使用によって変形したり電話機筺体の表面から剥離したりするおそれがあり接触不良の原因となっていた。
【０００４】
本発明は上記した従来の問題に鑑みなされたものであり、その目的とするところは、製造コストを低減させ、長期間の使用によっても変形せずに接触不良が発生しないように耐久性を向上させた充電端子の取付構造を提供するところことにある。
【課題を解決するための手段】
【０００５】
この目的を達成するために、請求項１に係る発明は、互いに対向する第１、第２の支持片およびこれら両支持片を連結する接触片によって断面略コ字状に形成した充電端子と、底部と囲い壁とによって一方が開口した筐体とを備え、前記筐体の囲い壁に前記充電端子の各支持片が挿通される２つの長穴を設け、前記筐体内の底部に前記第１の支持片を取り付けるスタッドを立設し、前記第２の支持片に係合孔を設け、この係合孔に係合する係合凸部を前記筐体内の底部に設けたものである。
【０００６】
請求項２に係る発明は、互いに対向する第１、第２の支持片およびこれら両支持片を連結する接触片によって断面コ字状に形成した充電端子と、底部と囲い壁とによって一方が開口した筐体とを備え、前記筐体の囲い壁に前記充電端子の各支持片が挿通される２つの長穴を設け、前記筐体内の底部に前記第１の支持片を取り付けるスタッドを立設し、前記第１の支持片の両側端に一対の係合溝を設け、この係合溝が係合する係合突起を前記筺体内に設けたものである。
【０００７】
請求項３に係る発明は、請求項１または２に係る発明において、前記筐体の開口側から取り付けるプリント基板と前記第１の支持片とを前記スタッドに共締めすることにより、前記充電端子と前記プリント基板とを電気的に接続したものである。
【０００８】
請求項４に係る発明は、請求項１または２に係る発明において、前記第２の支持片の前記接触片側の一部を前記筐体から露呈させたものである。
【発明の効果】
【０００９】
請求項１に係る発明によれば、充電端子全体が断面略コ字状を呈する形状であるため、１回の折り曲げ加工によって充電端子を形成することができるので製造コストを低減することができる。また、充電端子の第１、第２の支持片を筺体の内部に挿通して取り付けるようにしたことにより、筺体から露呈した接触片が長期間の使用に対しても筺体の表面から剥離したり変形したりするようなことがないから耐久性が向上する。また、第１の支持片をスタッドに取り付ける際に、第２の支持片の係合孔に筺体内の底部に設けた係合凸部が係合しているため、充電端子が位置ずれを起こさないから取付けのための作業性が向上する。
【００１０】
請求項２に係る発明によれば、充電端子全体が断面略コ字状を呈する形状であるため、１回の折り曲げ加工によって充電端子を形成することができるので製造コストを低減することができる。また、第１の支持片をスタッドに取り付ける際に、筺体に設けた係合凸部に第１の支持片の係合凹部が係合しているため、充電端子が位置ずれを起こさないから取付けのための作業性が向上する。
【００１１】
請求項３に係る発明によれば、プリント基板と共締めをする際に充電端子が位置ずれを起こすようなことがないから取付けのための作業性が向上する。
【００１２】
請求項４に係る発明によれば、筺体を充電器に載置して充電端子を充電器の充電用端子に接触させる際に、充電用端子を筺体に接触させることがないから筺体に傷を付けるようなことがない。
【発明を実施するための最良の形態】
【００１３】
以下、本発明の実施の形態を図に基づいて説明する。図１は本発明に係る充電端子の取付構造を実施したコードレス電話機を示し、同図（Ａ）は底面図、同図（Ｂ）は同図（Ａ）における I（Ｂ）矢視図、図２は同じくコードレス電話機を分解して示した斜視図、図３は同じくロアーケースの要部を拡大して示す平面図、図４は図３におけるIV-IV 線断面図、図５は図３におけるV-V 線断面図、図６は本発明に係る充電端子を示し、同図（Ａ）は平面図、同図（Ｂ）は同図（Ａ）におけるVI（Ｂ）-VI（Ｂ） 線断面図、同図（Ｃ）は底面図、図７は同じく充電端子を取り付けた状態のロアーケースの要部を拡大して示す平面図、図８は同じく充電端子を取り付ける動作を説明するための図７におけるVIII-VIII 線断面図、図９はコードレス電話機を充電器に載置した状態を示す要部の平面図、図１０は図９におけるX-X 線断面図である。
【００１４】
図１に全体を符号１で示すコードレス電話機は、一方が開口した筺体としてのロアーケース２と一方が開口したアッパーケース３とを備え、これら両ケース２，３の互いの開口端を対接させて両ケース２，３を合体させることによってコードレス電話機１の筺体が形成される。ロアーケース２は、図２に示すように、底部５とこの底部５を囲むように底部５の周縁から立設された囲い壁６とによって形成されており、囲い壁６は上壁６Ａ、下壁６Ｂ、両側壁６Ｃ，６Ｄとによって一連に形成されている。
【００１５】
ロアーケース２の底部５の表面側には、図１（Ａ）に示すように、マトリックス状に配置されたダイヤルボタン７と多数の機能ボタン８とが設けられており、底部５の上部側には受話部９が設けられ、底部５の下部側には送話部１０が設けられている。囲い壁６の下壁６Ｂの両端部には、図２に示すように後述する充電端子２０の接触片２３が嵌合する一対の凹部１２，１２が設けられており、これら凹部１２，１２は、図４に示すように底部５の下面の一部（長さｌに相当する部分）にまで延設されている。
【００１６】
この凹部１２の図中上下の端部には、下壁６Ｂを貫通する長穴１３，１４が設けられており、一方の長穴１３の底面１３ａは図中右上がりに傾斜するように形成されている。上述したように、凹部１２が底部５の下面の一部にまで延設されていることにより、下方の長穴１４は上方の長穴１３よりも長さｌだけ矢印Ｂ方向に設けられている。また、長穴１３と長穴１４との間隔ｄは、充電端子２０の第１の支持片２１と第２の支持片２２との間の間隔ｄと同じ間隔に形成されている。
【００１７】
これら長穴１３，１４に対応して、ロアーケース２内の底部５には、図３に示すように囲い壁６の下壁６Ｂから連設された互いに対向する二対のガイド壁１５，１５が立設されている。これらガイド壁１５，１５間の間隔Ｗ１は、充電端子２０の第２の支持片２２の幅Ｗよりわずかに拡く形成されており、組付け時に長穴１４に挿通される第２の支持片２２がこれらガイド壁１５，１５によって案内される。１６，１６は一対のガイド壁１５，１５間を連結するように、底部５から長穴１３と同じ高さに立設された係合壁であって、この係合壁１６の上端の両端側には、一対の係合突起１６ａ，１６ａが突設されている。
【００１８】
１７，１７は係合壁１６に連設され底部５からこの係合壁１６と同じ高さに立設された一対のスタッドであって、中央部に取付け用の穴１７ａが設けられている。１９，１９は一対のガイド壁１５，１５間に設けられ、ロアーケース２内の底部５に突設された係合凸部であって、図４に示すように、矢印Ａ方向に設けた傾斜面１９ａと、矢印Ｂ方向に設けた鉛直面１９ｂとによって断面が直角三角形に形成されている。
【００１９】
図６において、２０は充電端子であって、互いに対向する第１、第２の支持片２１，２２およびこれら両支持片２１，２２を連結する接触片２３によって断面略コ字状に折り曲げ形成されている。第１の支持片２１には、後述するセルフタッピングねじ２９を挿通させる挿通孔２１ａが設けられているとともに、両側縁には上記した係合突起１６ａ，１６ａに係合する係合溝２１ｂ，２１ｂが設けられている。第２の支持片２２は第１の支持片２１よりも全長が短く形成されており、上記した底部５の係合凸部１９に係合する正方形に形成された係合孔２２ａが設けられている。このように、充電端子２０が単純な断面略コ字状を呈するように形成されていることにより、１回の折り曲げ加工によって形成することができるため製造コストを低減することができる。
【００２０】
図２において、２５はプリント基板であってセルフタッピングねじ２９が挿通される挿通孔２６，２６が設けられ、これら挿通孔２６，２６の周縁には、充電端子２０の第１の支持片２１と電気的に導通するランド部（図示せず）が設けられている。アッパーケース３には、一対の凹部２７，２７が設けられており、この凹部２７の底部には、セルフタッピングねじ２９が挿通される挿通孔２７ａが形成されている。また、このアッパーケース３には、蓄電池を収納する収納用凹部２８が設けられている。
【００２１】
図１０において、３０は商用電源に接続される充電器であって、コードレス電話機１を載置する載置用凹部３１が設けられており、この載置用凹部３１の一部には窓３１ａが形成され、この窓３１ａには充電用端子片３２の角部３２ａが臨んでいる。このような構成において、充電器３０の載置用凹部３１に、ロアーケース２側を下方に向けたコードレス電話機１を載置すると、充電端子２０の接触片２３が充電用端子片３２に接触する。
【００２２】
次に、図２および図７，図８を用いて、このように構成された充電端子の取付構造における充電端子の取付け方法について説明する。図８（Ａ）に示すように、充電端子２０の第１および第２の支持片２１，２２を図中右斜め上方に指向させ、これら第１および第２の支持片２１，２２を長穴１３，１４に挿通する。長穴１４から挿通された第２の支持片２２は、幅方向を一対のガイド壁１５，１５に案内されるとともに、面方向を係合凸部１９の傾斜面１９ａによって案内される。一方、長穴１３から挿通された第１の支持片２１は、面方向を長穴１３の底面１３ａによって案内される。
【００２３】
充電端子２０を挿通し終わると、充電端子２０を時計方向に回動させることによって、第２の支持片２２の係合孔２２ａを、同図（Ｂ）に示すようにロアーケース２の係合凸部１９に係合させ、第２の支持片２２を底部５の表面に対接させる。同時に、第１の支持片２１の係合溝２１ｂ，２１ｂを、図７に示すように係合突起１６ａ，１６ａに係合させ、第１の支持片２１をスタッド１７上に載置する。この状態で、第１の支持片２１の挿通孔２１ａがスタッド１７の取付け用の穴１７ａに一致するとともに、接触片２３が凹部１２の底部１２ａに対接する。
【００２４】
このとき、第２の支持片２２の係合孔２２ａが、図８（Ｂ）に示すようにロアーケース２の係合凸部１９の鉛直面１９ｂに係合するとともに、第１の支持片２１の係合溝２１ｂ，２１ｂがロアーケース２側の係合突起１６ａ，１６ａに係合しているため、充電端子２０は矢印Ａ方向への移動が規制されている。また、接触片２３が凹部１２の底部１２ａに対接しているため、充電端子２０は矢印Ｂ方向への移動も規制される。
【００２５】
また、第１の支持片２１の係合溝２１ｂ，２１ｂが、図７に示すようにロアーケース２側の係合突起１６ａ，１６ａに係合し、かつ第２の支持片２２が一対のガイド壁１５，１５によって幅方向への移動が規制されているため、充電端子２０は、図中矢印Ｃ−Ｄ方向への移動も規制される。
【００２６】
この状態で、図２に示すように、ロアーケース２の開口２ａ側からプリント基板２５をロアーケース２内に挿入し、アッパーケース３とロアーケース２との互いの開口端を対接させる。次いで、セルフタッピングねじ２９をアッパーケース３およびプリント基板２５の各挿通孔２７ａ，２６に挿通させ、ロアーケース２のスタッド１７の穴１７ａにねじ込むことにより、プリント基板２５と充電端子２０とをスタッド１７に共締めするとともに、アッパーケース３とロアーケース２とを合体させる。
【００２７】
このとき、上述したように充電端子２０が矢印Ａ−Ｂ方向および矢印Ｃ−Ｄ方向への移動が規制されているため、充電端子２０を容易かつ確実にスタッド１７にプリント基板２５と共締めすることができ作業性が向上する。また、充電端子２０とプリント基板２５とを共締めすることにより、プリント基板２５の挿通孔２６，２６の周縁に設けたランド部（図示せず）と、充電端子２０の第１の支持片２１とが電気的に導通し、充電端子２０とプリント基板２５とが電気的に接続される。
【００２８】
このようにしてスタッド７に取り付けられた充電端子２０は、上述したように接触片２３が嵌合する凹部１２が、図４に示すように底部５の下面の一部（長さｌに相当する部分）にまで延設されているため、図１０に示すように第２の支持片２２の接触片２３側に位置する一部２２ｂがロアーケース２から露呈している。このため、コードレス電話機１を充電器３０の載置用凹部３１に載置するとき、この第２の支持片２２の一部２２ｂが充電器３０の充電用端子片３２に接触することようなことがあるが、ロアーケース２の底部５が接触するようなことがないから、充電用端子３２によって底部５に傷が付くようなことがない。
【００２９】
また、ロアーケース２の長穴１３，１４から挿通した充電端子２０の第１、第２の支持片２１，２２をロアーケース２内に取り付けるようにしたことにより、ロアーケース２から露呈した接触片２３が長期間の使用に対してもロアーケース２の凹部１２の底部１２ａから剥離したり変形したりするようなことがない。
【００３０】
なお、本実施の形態においては、充電端子２０の第１の支持片２１に係合溝２１ｂを設け、第２の支持片２２に係合孔２２ａを設けて充電端子２０の移動を規制するようにしたが、いずれか一方を設けるようにしてもよい。また、充電端子２０が備えられた電子機器としてコードレス電話機の例を説明したが、充電を必要とする各種電子機器にも適用できる。
【図面の簡単な説明】
【００３１】
【図１】本発明に係る充電端子の取付構造を実施したコードレス電話機を示し、同図（Ａ）は底面図、同図（Ｂ）は同図（Ａ）における I（Ｂ）矢視図である。
【図２】本発明に係る充電端子の取付構造を実施したコードレス電話機を分解して示した斜視図である。
【図３】本発明に係る充電端子の取付構造を実施したコードレス電話機におけるロアーケースの要部を拡大して示す平面図である。
【図４】図３におけるIV-IV 線断面図である。
【図５】図３におけるV-V 線断面図である。
【図６】本発明に係る充電端子を示し、同図（Ａ）は平面図、同図（Ｂ）は同図（Ａ）におけるVI（Ｂ）-VI（Ｂ） 線断面図、同図（Ｃ）は底面図である。
【図７】本発明に係る充電端子を取り付けた状態のロアーケースの要部を拡大して示す平面図である。
【図８】本発明に係る充電端子を取り付ける動作を説明するための図７におけるVIII-VIII 線断面図であって、同図（Ａ）は充電端子をロアーケース内に挿通する状態を示し、同図（Ｂ）は挿通し終わった状態を示す。
【図９】本発明に係る充電端子の取付構造を実施したコードレス電話機を充電器に載置した状態を示す要部の平面図である。
【図１０】図９におけるX-X 線断面図である。
【符号の説明】
【００３２】
１…コードレス電話機、２…ロアーケース（筺体）、３…アッパーケース、５…底部、６…囲い壁、６Ｂ…下壁、１３，１４…長穴、１６ａ…係合突起、１７…スタッド、１９…係合凸部、２０…充電端子、２１…第１の支持片、２１ｂ…係合溝、２２…第２の支持片、２２ａ…係合孔、２３…接触片、２５…プリント基板、３０…充電器、３２…充電用端子片。
【図１】
2007096877.tif 000003
【図２】
2007096877.tif 000004
【図３】
2007096877.tif 000005
【図４】
2007096877.tif 000006
【図５】
2007096877.tif 000007
【図６】
2007096877.tif 000008
【図７】
2007096877.tif 000009
【図８】
2007096877.tif 000010
【図９】
2007096877.tif 000011
【図１０】
2007096877.tif 000012